(57)【要約】【課題】安定して精確に計測でる電子血圧計の圧力安定解放装置を提供することにある。【解決手段】装置上に多孔気体連絡通路の連絡管を設け、この連絡管の一端に空気袋、ポンプ、パルスセンサーに接続し、連絡管の一端に栓部材を設け、この栓部材は多孔気体連絡通路の材料より作られ、使用するときは、ポンプにより気体を加圧して連絡管に圧送し、空気袋を一杯に充填した後、栓部材内部の微細、かつ均一の通気孔により、空気袋の気体をきめ細かで均一、かつ安定に通気孔を通過して外部に放出させ、パルスセンサーにより気体放出量を精確に計測する。【選択図】図３
0003117137.tif 000002
【実用新案登録請求の範囲】
【請求項１】
電子血圧計の圧力安定解放装置において、
装置上に多孔気体連絡通路の連絡管を設け、
この連絡管の一端に空気袋、ポンプ、パルスセンサーに接続し、
連絡管の一端に栓部材を設け、
この栓部材は多孔気体連絡通路の材料より作られ、
使用するときは、ポンプにより気体を加圧して連絡管に圧送し、空気袋を一杯に充填した後、栓部材内部の微細、かつ均一の通気孔により、空気袋の気体をきめ細かで均一、かつ安定に通気孔を通過して外部に放出させ、パルスセンサーにより気体放出量を精確に計測することを特徴とする、
電子血圧計の圧力安定解放装置。
【請求項２】
前記栓部材は精密セラミックであることを特徴とする、請求項1記載の電子血圧計の圧力安定解放装置。
【請求項３】
前記栓部材は中空支持体に装入することを特徴とする、請求項1記載の電子血圧計の圧力安定解放装置。
【請求項４】
前記栓部材は一つであることを特徴とする、請求項1記載の電子血圧計の圧力安定解放装置。
【請求項５】
前記栓部材は二つであることを特徴とする、請求項1記載の電子血圧計の圧力安定解放装置。
【考案の詳細な説明】
【技術分野】
【０００１】
本考案は一種の電子血圧計の圧力安定解放装置に関し、より詳細には一種の多孔気体通過性材料により作られた栓部材を用いて、栓部材のきめ細かで均一な通気孔を利用して、空気流量を低流量で安定して解放することにより、人間のからだのパルス信号検出をより精確に実現できる、電子血圧計の圧力安定解放装置に関するものである。
【背景技術】
【０００２】
通常の電子血圧計は図1に示す通り、すべての電子部品は一つのプリント基板110上に取り付けて、箱体100によりこのプリント基板110を包む。さらに、プリント基板110上に液晶表示装置(ＬＣＤ)120を箱体100表面にむき出すように取り付けて、血圧測定結果を表示する。また、箱体100上に多孔気体連絡通路の連絡管130を設け、この連絡管130は継手131に接続し、継手131は空気袋(図示していない)に接続する。空気袋は上膊部または腕などの部位に巻き込む。この連絡管130はさらに低流量気体リリーフ弁132、パルスセンサー133、ポンプ134および高流量気体リリーフ弁135に連絡する。そのうち、パルスセンサー133はプリント基板110上に取り付けて、からだの血圧脈動を検出する。
【０００３】
図2に示す通り、低流量気体リリーフ弁132内部に一対の連絡管130の一開口部に対応した収納空間1321を設け、この収納空間1321に内部が中空状のシリコン(ゴム)管1322を設ける。このシリコン(ゴム)管1322の一端は密閉状態であり、向かい合った一端に開口部を設ける。さらに、シリコン(ゴム)管1322の表面に縦方向の裂け目1323を設け、縦方向の裂け目1323は収納空間1321とシリコン(ゴム)管1322内部の気体を互いに流動させる。さらに、シリコン(ゴム)管1322は開口端にねじとう管1324を設け、ねじとう管1324内部に通気通路13241を設けて、この通気通路13241はシリコン(ゴム)管1322の開口端に連絡する。ねじとう管1324はナット1325にねじ込むことができる。さらに、ナット1325は容置空間1321にはめ継ぐ。これにより、操作するとき、ポンプ134は連絡管130を介して加圧気体を空気袋に送り込み、気圧が設定の最高値になってから、ねじとう管1324によりナット1325を回転させる。
【０００４】
もともと、空気通路1326圧迫されていたシリコン(ゴム)管1322は上/下に移動し、空気袋の気体は連絡管130より、空気通路1326から、シリコン(ゴム)管1322の裂け目1323からシリコン(ゴム)管1322に進入する。ねじとう管1324内部の貫通空気通路13241により気体を外部に流出させる。このとき、高流量気体リリーフ弁135は閉鎖状態になり、パルスセンサー133は気体を緩やかに解放することにより、高/低血圧パルスを検出する。検出した高/低血圧パルスのデータをプリント基板110に伝送および処理して、測定結果を液晶表示装置120に伝送した後、高流量気体リリーフ弁135を開いて、残りの気体は高流量気体リリーフ弁より素早く排出させる。
【考案の開示】
【考案が解決しようとする課題】
【０００５】
しかしながら、その低流量気体リリーフ弁132のほとんどは、シリコン(ゴム)材であるため、一定期間使用した後に、劣化し弾性疲労により、変形やぜい化を引き起こす。そのため、収納空間1321に進入する気体流量が不安定となり、測定結果は精確に保持できない。
【０００６】
さらに、解放気体の流量は、ねじとう管1324とナット1325との組合せで、図2のa区間によって決める。また、ねじとう管1324とナット1325上のネジ山は工作機械で加工するため、ねじ山の接近に限界があり、微細な間隔に調節することができない。シリコン(ゴム)管1322上縦方向の裂け目1323も機械加工であるため、気体流量は微量、安定に解放することができなく、放出する気体流量も不安定であり、測定気圧を小さくすることができない。一例として、収納空間1321に導入する気体流量2-5mmhg/秒、パルスセンサー133の1秒あたりの気圧を降下または計測間隔の短縮ができないため、精確に計測できない。
【０００７】
本考案は以上の欠点を改善するために成されたものでその目的とするところは、安定して精確に計測でる電子血圧計の圧力安定解放装置を提供することにある。
【課題を解決するための手段】
【０００８】
本願の第１考案は、電子血圧計の圧力安定解放装置において、装置上に多孔気体連絡通路の連絡管を設け、この連絡管の一端に空気袋、ポンプ、パルスセンサーに接続し、連絡管の一端に栓部材を設け、この栓部材は多孔気体連絡通路の材料より作られ、使用するときは、ポンプにより気体を加圧して連絡管に圧送し、空気袋を一杯に充填した後、栓部材内部の微細、かつ均一の通気孔により、空気袋の気体をきめ細かで均一、かつ安定に通気孔を通過して外部に放出させ、パルスセンサーにより気体放出量を精確に計測することを特徴とする、電子血圧計の圧力安定解放装置である。
本願の第２考案は、前記栓部材は精密セラミックであることを特徴とする、前記第１考案に記載の電子血圧計の圧力安定解放装置である。
本願の第３考案は、前記栓部材は中空支持体に装入することを特徴とする、請求項1記載の電子血圧計の圧力安定解放装置である。
本願の第４考案は、前記栓部材は一つであることを特徴とする、請求項1記載の電子血圧計の圧力安定解放装置である。
本願の第５考案は、前記栓部材は二つであることを特徴とする、請求項1記載の電子血圧計の圧力安定解放装置である。
【考案の効果】
【０００９】
本考案人は公知装置の欠点を合理に改善した電子血圧計の圧力安定解放装置を提供する事ができる。
【００１０】
本考案は一種の電子血圧計の圧力安定解放装置を提供するもので、一つの本体を設け、この本体に連絡管を設けて、この連絡管の一端は空気袋、ポンプ、パルスセンサーおよび低気体流量リリーフ弁に接続する。そのうち、低気体流量リリーフ弁に空気連絡通路を設け、この空気連絡管通道に多孔気体連絡通路材料で作られた栓部材を設ける。測定するときは、ポンプで気体を加圧した後連絡管に圧送し、空気袋を充満してから、栓部材のきめ細かな、かつ均一に作られた通気孔より、空気袋の気体は低流量で安定に通気孔を通過して、外部に放出させる。パルスセンサーは気体の低流量で安定のため、時間ごと定位置で計測した気圧は先行の装置より少なく、血圧のパルス信号検出をより精確できる。さらに、この栓部材は疲労による劣化しないため、流速の不安定により、検出結果の誤差がない。
【００１１】
本考案は一種の電子血圧計の圧力安定解放装置を提供するもので、気体を素早く外部に放出させるため、連絡管はさらに高流量気体リリーフ弁に接続する。
【００１２】
本考案は一種の電子血圧計の圧力安定解放装置を提供するもので、その栓部材は精密セラミックを用いることができる。
【考案を実施するための最良の形態】
【００１３】
本考案は前述の目的を達成するための使用手段および効果について、図面を参照しながら以下に説明する。
【００１４】
本考案は一種の電子血圧計の圧力安定解放装置に関わるもので、図3、4、7に示す通り、この装置上に一つの箱体100を設ける。
箱体100はプリント基板110を収納する。プリント基板110は液晶表示装置120と箱体100表面に接続して、高/低血圧測定値を表示する。
【００１５】
さらに、箱体100に多孔気体連絡通路の連絡管130を設ける。
この連絡管130は継手131に接続し、継手131は空気袋(図示していない)に接続する。
連絡管130はさらにパルスセンサー133、ポンプ134および高流量気体リリーフ弁135に接続する。
【００１６】
そのうち、パルスセンサー133はプリント基板110上に取り付けて、計測するときの血圧脈動を検出し、高い血圧と低い血圧値を検出する。
さらに、連絡管130は前述の装置に接続されない一端は栓部材10に接続する。
【００１７】
栓部材10は多孔気体連絡通路材料より作られる。
本実施例において栓部材10は、精密セラミックを用いる。栓部材10はその他に発泡材またはナノ系材料あるいはその類似した材料に代わることもできる。
【００１８】
さらに、その栓部材10は中空支持体20に挿入し、中空支持体20は連絡管130の継手131、パルスセンサー133、ポンプ134および高流量気体リリーフ弁135に接続していない端面に接続するか、またはその端面に装入する。
このほか、栓部材10は一つまたは二つ(図5と図6に示す)を設けることができる。
【００１９】
使用するときは、図4、7に示す通り、操作方法として、ポンプ134は連絡管130により気体を空気袋に圧送し、空気袋は上膊部または腕などの部位に巻き込む。
【００２０】
このとき、高流量気体リリーフ弁135は閉鎖状態にし、気圧が設定の最高値に達した後、放出気体は栓部材10内部のきめ細かで均一な通気孔により、微細、かつ安定に通気孔より外部に放出させる。
【００２１】
パルスセンサー133は、血圧検出をするときの放出気体の流量が緩やかで、安定しているため、血圧検出をより精確に行える。
この栓部材10は疲労により劣化しない。流速の不安定がため、検出結果の誤差はない。
【００２２】
また、パルスセンサー133は気体を緩やかに放出することにより、高/低血圧のパルスを検出して、検出した高/低血圧のパルスをデータをプリント基板110に伝送して処理を行った上、検出結果を液晶表示装置120にて表示してから、高流量気体リリーフ弁135を開いて、残存気体を高流量気体リリーフ弁135より素早く放出させる。
【００２３】
以上に説明した通り、本考案の電子血圧計の圧力安定解放装置の構造が単純、かつ丈夫であり、コストを節減でき、効果を向上できる。
【図面の簡単な説明】
【００２４】
【図１】先行装置の概略図である。
【図２】先行装置の低気体流量リリーフの断面概略図である。
【図３】本考案の低気体流量リリーフの立体分解図である。
【図４】本考案の低気体流量リリーフの断面概略図である。
【図５】本考案の低気体流量リリーフもう一つの実施例における立体分解図である。
【図６】本考案の低気体流量リリーフもう一つの実施例における断面図である。
【図７】本考案で使用するときの概略図である。
【符号の説明】
【００２５】
100・・・・・箱体
110・・・・・プリント基板
120・・・・・液晶表示装置
130・・・・・連絡管
131・・・・・継手
133・・・・・パルスセンサー
134・・・・・ポンプ
135・・・・・高流量気体リリーフ弁
10・・・・・栓部材
20・・・・・中空支持体
【図１】
0003117137.tif 000003
【図２】
0003117137.tif 000004
【図３】
0003117137.tif 000005
【図４】
0003117137.tif 000006
【図５】
0003117137.tif 000007
【図６】
0003117137.tif 000008
【図７】
0003117137.tif 000009